(57)【要約】【課題】  作業従事者がたすきがけにしたストラップを、他に特別な道具や手間を必要とすることなく、容易に係合することができるループを備えた作業用衣服を得る。【解決手段】 作業用衣服本体1に両端22を固定した第１ループ4と、この第１ループ4に、係合具11,12を介して一端を着脱自在に接続可能とするとともに他端を作業用衣服本体1に固定した第２ループ5とを、作業用衣服本体1の側部20に備える。【選択図】図１
2018024951.tif 000002
【特許請求の範囲】
【請求項１】
作業用衣服本体に両端を固定した第１ループと、この第１ループに、係合具を介して一端を着脱自在に接続可能とするとともに他端を作業用衣服本体に固定した第２ループとを、作業用衣服本体の側部に備えたことを特徴とする作業用衣服。
【請求項２】
帯材の一端を作業用衣服本体の側部に固定するとともに、この帯材の他端側を折り返して、この折り返した折曲部を作業用衣服本体に固定することにより、この帯材の一端と折曲部とを両端とする第１ループを備え、上記帯材の折り返しによって形成された折り返し片を第２ループとし、この第２ループの先端に備えた係合具を介して、第２ループを第１ループに着脱自在に接続可能としたことを特徴とする作業用衣服。
【請求項３】
作業用衣服本体に両端を固定した第１ループと、この第１ループをまたいで位置するとともに、一端を作業用衣服本体に固定し、他端を、作業用衣服本体に係合具を介して着脱自在に固定可能とした第２ループとを、作業用衣服本体の側部に備えたことを特徴とする作業用衣服。
【請求項４】
作業用衣服本体には係合具を備え、この係合具の側方に、着用者の指を挿入可能とする切込み部を備えたことを特徴とする請求項３の作業用衣服。
【請求項５】
作業用衣服本体に両端を固定した第１ループと、この第１ループをまたいで位置するとともに、一端を作業用衣服本体に固定し、他端を作業用衣服に固定された生地片に、係合具を介して着脱自在に接続可能とした第２ループとを、作業用衣服本体の側部に備えたことを特徴とする作業用衣服。
【請求項６】
作業用衣服本体に両端を固定した第１ループと、この第１ループをまたいで位置するとともに、一端を作業用衣服本体に固定し、他端を、作業用衣服本体に設けたポケットの開口縁に係合具を介して着脱自在に固定可能とした第２ループとを、作業用衣服本体の側部に備えたことを特徴とする作業用衣服。
【請求項７】
作業用衣服本体に両端を固定した第１ループと、この第１ループをまたいで位置する第２ループとを作業用衣服本体の側部に備え、第２ループは、両端を作業用衣服本体に固定するとともに、中央部を分離した一対の対向する分離片から成り、この一対の分離片を、係合具を介して互いに着脱自在に接続可能としたことを特徴とする作業用衣服。
【請求項８】
作業用衣服本体に一端を固定するとともに他端を作業用衣服本体に第１係合具を介して着脱自在に接続可能とした第１ループと、この第１ループに対向して位置し、作業用衣服本体に一端を固定するとともに他端を上記第１ループに第２係合具を介して着脱自在に接続可能とした第２ループとを備えたことを特徴とする作業用衣服。
【請求項９】
作業用衣服本体の側部側に一端を固定するとともに、他端を自由端とし、この自由端に、一方係合部材と他方係合部材とを間隔を介して備え、この一方係合部材と他方係合部材とを互いに係合させることにより、自由端に環状部を形成可能とする第１ループと、作業用衣服本体に固定した環状の第２ループとを備え、この第２ループに上記第１ループの自由端を挿通配置した状態で、この第１ループの一方係合部材と他方係合部材とを互いに係合することにより、この第１ループの環状部と第２ループとを着脱自在に係合可能としたことを特徴とする作業用衣服。
【請求項１０】
両端を作業用衣服本体に固定した環状の第１ループと、作業用衣服本体の側部に一端を固定するとともに、他端を自由端とし、この自由端に、互いに着脱自在に係合可能な一方係合部材と他方係合部材とを間隔を介して備え、この一方係合部材と他方係合部材とを互いに係合させることにより、自由端に環状部を形成可能とする第１ループとを備え、この第２ループの自由端を上記第１ループに挿通配置した状態で、この第２ループの一方係合部材と他方係合部材とを係合することにより、この第２ループと第１ループとを着脱自在に接続可能としたことを特徴とする作業用衣服。
【請求項１１】
第１及び第２ループは、作業用衣服本体の脇線に沿って備えたことを特徴とする請求項１、２、３、４、５、６、７、８、または９の作業用衣服。
【請求項１２】
第１ループは作業用衣服本体の脇線に沿って位置するとともに、第２ループは第１ループとは直交方向に位置することを特徴とする請求項１、３、または１０の作業用衣服。
【請求項１３】
第１ループ及び第２ループは、着用者の腰部に対応する位置に備えたことを特徴とする請求項１、２、３、４、５、６、７、８、９、１０、１１、または１２の作業用衣服。
【発明の詳細な説明】
【技術分野】
【０００１】
本発明は、ループを備えた作業用衣服に関するものである。
【背景技術】
【０００２】
従来より、特許文献１に示す如く環状のループを衣服に縫い付け、このループに鍵等を、フック等の接続具を介して係合可能とした衣服が既に公知となっている。また医療、介護、看護従事者(以下、「作業従事者」とする。)が着用する作業用衣服についても、図１７に示す如く、帯状のループ(201)の両端を作業用衣服本体(202)に縫着したものが既に使用されている。
【先行技術文献】
【特許文献】
【０００３】
【特許文献１】実用新案登録第３０７０８１６号公報
【発明の開示】
【発明が解決しようとする課題】
【０００４】
また、作業従事者(203)は一般的に、ＰＨＳやネームプレート等をストラップに接続するとともに、このストラップをたすきがけにした状態で作業を行うことが多い。そのため、作業中にかがむなどした場合には、ストラップに接続したＰＨＳやネームプレートが自身の重さによって下方に垂れ下がり、患者や介護者に当たる等の事態が生じるおそれがあり、安全に作業することが困難な場合があった。
【０００５】
そこで上記の如き問題を防ぐためには、作業用衣服の側部に設けた図１７に示す如き従来のループ(201)にストラップを、接続具などを介して係合することが考えられる。このように従来のループ(201)にストラップを係合する事により、ＰＨＳやネームプレート等が下方に垂れることなく安全に作業を行うことが可能となる。しかし、このような方法では、ループ(201)にストラップを係合するための接続具が必要となる。
【０００６】
そこで、本発明は上述の如き課題を解決しようとするものであって、作業従事者がたすきがけにしたストラップを、他に特別な道具や手間を必要とすることなく、容易に係合することができるループを備えた作業用衣服を得ようとするものである。
【課題を解決するための手段】
【０００７】
上述の如き課題を解決するため本願の第１発明は、作業用衣服本体に両端を固定した第１ループと、この第１ループに、係合具を介して一端を着脱自在に接続可能とするとともに他端を作業用衣服本体に固定した第２ループとを、作業用衣服本体の側部に備えたものである。
【０００８】
本願の第１発明は上記の如く、一端を第１ループに着脱自在とした第２ループを設けているため、作業従事者がたすきがけにしていたストラップを、第１ループと第２ループとの係合を解除して第２ループに挿通した後、この第２ループの一端を再び第１ループに係合させることによって、第２ループにストラップを係合配置することができる。そのため、作業時に作業従事者がかがんだ際にもストラップに接続したネームプレート等が下方に垂れ下がるのを防止することが可能となり、作業を安全且つ円滑に行うことができる。
【０００９】
また、作業用衣服本体に両端を固定した第１ループに係合具を介して第２ループの一端を係合しているものであるから、この係合具の着脱を、第１ループに指を通して係合具を支持固定した状態で行うことができる。そのため、係合具の着脱を円滑に行うことができる。またこの第１ループには従来通り、接続具を介して鍵等を接続することができる。
【００１０】
また本願の第２発明は、帯材の一端を作業用衣服本体の側部に固定するとともに、この帯材の他端側を折り返して、この折り返した折曲部を作業用衣服本体に固定することにより、この帯材の一端と折曲部とを両端とする第１ループを備え、上記帯材の折り返しによって形成された折り返し片を第２ループとし、この第２ループを、先端に備えた係合具を介して、第１ループに着脱自在に接続可能としたものである。
【００１１】
本願の第２発明は上記の如く第２ループを、先端に備えた係合具を介して、第１ループに着脱自在に接続可能としたものであるから、作業従事者がたすきがけにしたストラップを、第１ループと第２ループとの係合を解除して第２ループに挿通した後、この第２ループの一端を再び第１ループに係合することによって、第２ループに係合配置することができる。そのため、作業従事者が作業時にかがんだ際にも、ストラップに接続したネームプレート等が下方に垂れ下がるのを防止することが可能となり、作業を安全且つ円滑に行うことができる。
【００１２】
また、作業用衣服本体に両端を固定した第１ループに係合具を介して第２ループの一端を係合しているものであるから、この係合具の着脱を、第１ループに指を通して行うことができる。そのため、係合具の着脱を確実且つ円滑に行うことができる。またこの第１ループには従来通り、フックやキーホルダー等を介して鍵等を接続することができる。
【００１３】
また、帯材を折り返して作業用衣服本体に縫い付けるのみで、第１ループと第２ループの２つのループを形成することができるため、製造を容易なものとすることができる。
【００１４】
また本願の第３発明は、作業用衣服本体に両端を固定した第１ループと、この第１ループをまたいで位置するとともに一端を作業用衣服本体に固定し、他端を、作業用衣服本体に係合具を介して着脱自在に固定可能とした第２ループとを、作業用衣服本体の側部に備えたものである。
【００１５】
本願の第３発明は上記の如く第２ループの他端を、係合具を介して作業用衣服本体に着脱自在に接続可能としたものであるから、作業従事者がたすきがけにしたストラップを、この第２ループと作業用衣服本体との係合を解除して第２ループに挿通した後、この第２ループの他端を再び作業用衣服本体に係合することによって、第２ループにストラップを係合配置することができる。そのため、作業従事者がかがんだ際にもストラップに接続したネームプレート等が下方に垂れ下がる事態を防止することが可能となり、作業を安全且つ円滑に行うことができる。また上記第１ループには従来通り、フックやキーホルダー等を介して鍵等を接続することができる。
【００１６】
また作業用衣服本体には係合具を備え、この係合具の側方に、着用者の指を挿入可能とする切込み部を備えたものであっても良い。このように切込み部を設けることにより、この切込み部に指を差し入れて係合具を支持し、この状態で係合具の着脱を容易且つ円滑に行うことができる。
【００１７】
また本願の第４発明は、作業用衣服本体に両端を固定した第１ループと、この第１ループをまたいで位置するとともに一端を作業用衣服本体に固定し、他端を作業用衣服に固定された生地片に、係合具を介して着脱自在に接続可能とした第２ループとを、作業用衣服本体の側部に備えたものである。
【００１８】
本願の第４発明は上記の如く第２ループの他端を、係合具を介して作業用衣服本体の生地片に着脱自在に接続可能としたものであるから、作業従事者がたすきがけにしたストラップを、この第２ループの他端と生地片との係合を解除して第２ループに挿通した後、この第２ループの他端を再び生地片に係合することによって、第２ループにストラップを係合配置することができる。そのため、作業従事者がかがんだ際にもストラップに接続したネームプレート等が下方に垂れ下がる事態を防止することが可能となり、作業を安全且つ円滑に行うことができる。
【００１９】
また、作業用衣服本体に固定した生地片に係合具を介して第２ループの他端を係合したものであるから、この係合具の着脱を、生地片を指で支持固定することによって行うことができる。そのため、係合具の着脱を安定した状態で円滑に行うことができる。また上記第１ループには従来通り、フックやキーホルダー等を介して鍵等を接続することができる。
【００２０】
また本願の第５発明は、作業用衣服本体に両端を固定した第１ループと、この第１ループをまたいで位置するとともに、一端を作業用衣服本体に固定し、他端を、作業用衣服本体に設けたポケットの開口縁に係合具を介して着脱自在に固定可能とした第２ループとを、作業用衣服本体の側部に備えたものである。
【００２１】
本願の第５発明は上記の如く第２ループの他端を、係合具を介して作業用衣服本体のポケットの開口縁に着脱自在に接続可能としたものであるから、作業従事者がたすきがけにしたストラップを、この第２ループの他端と開口縁との係合を解除して第２ループに挿通した後、この第２ループの他端を再び開口縁に係合することによって、第２ループにストラップを係合配置することができる。そのため、作業従事者がかがんだ際にもストラップに接続したネームプレート等が下方に垂れ下がる事態を防止することが可能となり、看護や介護等の作業を安全且つ円滑に行うことができる。
【００２２】
また、作業用衣服本体に設けたポケットに、係合具を介して第２ループの他端を係合したものであるから、この係合具の着脱を、指でポケット側を支持固定することによって行うことができる。そのため、係合具の着脱を安定した状態で円滑に行うことができる。また上記第１ループには従来通り、フックやキーホルダー等を介して鍵等を接続することができる。
【００２３】
また、上記の如く第１ループ及び第２ループの近くにポケットが備えられていることから、この第１、第２ループに係合した鍵やネームホルダー等をそのままの係合状態でポケット内に収納することが可能となる。そのため、第１、第２ループに係合したものが外部で揺れ動くなどの煩わしさがなく、また周囲に引っかかったりする危険もないため、作業を更に円滑に行うことができる。また上記第１ループには、従来通りフックやキーホルダー等を介して鍵等を接続することができる。
【００２４】
また本願の第６発明は、作業用衣服本体に両端を固定した第１ループと、この第１ループをまたいで位置する第２ループとを作業用衣服本体の側部に備え、第２ループは、両端を作業用衣服本体に固定するとともに、中央部を分離した一対の対向する分離片から成り、この一対の分離片を、係合具を介して互いに着脱自在に接続可能としたものである。
【００２５】
本願の第６発明は上記の如く第２ループは、一対の分離片を、係合具を介して互いに着脱自在に接続可能としたものであるから、作業従事者がたすきがけにしたストラップを、この一対の分離片の係合を解除して一方又は他方の分離片に挿通した後、この一方及び他方の分離片を再び係合することによって、第２ループにストラップを係合配置することができる。
【００２６】
そのため、作業従事者がかがんだ際にもストラップに接続したネームプレート等が下方に垂れ下がる事態を防止することが可能となり、作業を安全且つ円滑に行うことができる。また上記第１ループには、従来通りフックやキーホルダー等を介して鍵等を接続することができる。
【００２７】
また本願の第７発明は、作業用衣服本体に一端を固定するとともに他端を作業用衣服本体に第１係合具を介して着脱自在に接続可能とした第１ループと、この第１ループに対向して位置し、作業用衣服本体に一端を固定するとともに他端を上記第１ループに第２係合具を介して着脱自在に接続可能とした第２ループとを備えたものである。
【００２８】
本願の第７発明は上記の如く第２ループの他端を、上記第１ループに第２係合具を介して着脱自在に接続可能としたものであるから、作業従事者がたすきがけにしたストラップを、この第２ループと第１ループとの係合を解除して第２ループに挿通した後、この第２ループの他端を再び第１ループに係合することによって、第２ループに係合配置することができる。そのため、作業従事者がかがんだ際にもストラップに接続したネームプレート等が下方に垂れ下がる事態を防止することが可能となり、作業を安全且つ円滑に行うことができる。
【００２９】
また、第１ループに係合具を介して第２ループの他端を係合しているものであるから、この係合具の着脱を、第１ループに指を差し入れて支持固定することによって行うことができる。そのため、係合具の着脱を安定した状態で円滑に行うことができる。
【００３０】
また上記の如く、第１ループもその他端を作業用衣服本体に第１係合具を介して着脱自在に接続可能としているため、フック等の接続手段を介することなく鍵等を直接第１ループに係合することができる。
【００３１】
また本願の第８発明は、作業用衣服本体の側部側に一端を固定するとともに、他端を自由端とし、この自由端に、一方係合部材と他方係合部材とを間隔を介して備え、この一方係合部材と他方係合部材とを互いに係合させることにより、自由端に環状部を形成可能とする第１ループと、作業用衣服本体に固定した環状の第２ループとを備え、この第２ループに上記第１ループの自由端を挿通配置した状態で、この第１ループの一方係合部材と他方係合部材とを互いに係合することにより、この第１ループの環状部と第２ループとを着脱自在に係合可能としたものである。
【００３２】
本願の第８発明は上記の如く第１ループを、上記第２ループに一方係合部材と他方係合部材とを介して着脱自在に接続可能としたものであるから、作業従事者がたすきがけにしたストラップを、この第２ループと第１ループとの係合を解除して第１ループに挿通した後、この第１ループの一方係合部材と他方係合部材とを再び係合してその環状部を第２ループに接続することによって、第１ループにストラップを係合配置することができる。そのため、作業従事者がかがんだ際にもストラップに接続したネームプレートが下方に垂れ下がる事態を防止することが可能となり、看護や介護等の作業を安全且つ円滑に行うことができる。
【００３３】
また上記の如く、第２ループには従来通り、フックやキーホルダー等を介して鍵等を接続することができる。
【００３４】
また本願の第９発明は、両端を作業用衣服本体に固定した環状の第１ループと、作業用衣服本体の側部に一端を固定するとともに、他端を自由端とし、この自由端に、互いに着脱自在に係合可能な一方係合部材と他方係合部材とを間隔を介して備え、この一方係合部材と他方係合部材とを互いに係合させることにより、自由端に環状部を形成可能とする第１ループとを備え、この第２ループの自由端を上記第１ループに挿通配置した状態で、この第２ループの一方係合部材と他方係合部材とを係合することにより、この第２ループと第１ループとを着脱自在に接続可能としたものである。
【００３５】
本願の第９発明は上記の如く第２ループの自由端を、上記第１ループに一方係合部材と他方係合部材とを介して着脱自在に接続可能としたものであるから、作業従事者がたすきがけにしたストラップを、この一方係合部材と他方係合部材との係合を解除して第２ループに挿通した後、この第２ループの一方係合部材と他方係合部材とを係合して環状部を第１ループに接続することによって、第２ループにストラップを係合配置することができる。そのため、作業従事者がかがんだ際にもストラップに接続したネームプレートが下方に垂れ下がる事態を防止することが可能となり、看護や介護等の作業を安全且つ円滑に行うことができる。
【００３６】
また上記の如く、第１ループには従来通り、フックやキーホルダー等を介して鍵等を接続することができる。
【００３７】
また、第１ループ及び第２ループは、作業用衣服本体の脇線に沿って備えたものであっても良い。
【００３８】
また、第１ループは作業用衣服本体の脇線に沿って位置するとともに、第２ループは第１ループとは直交方向に位置するものであっても良い。
【００３９】
また、第１ループ及び第２ループは、作業従事者の腰部に対応する位置に備えたものであっても良い。このように第１ループ及び第２ループを配置することにより、第１ループ及び第２ループに係合したものが作業従事者の前面に垂れ下がることなく、作業の邪魔になりにくい。また、腰部は手足等の他の部位よりも動きが少ないため、第１ループ及び第２ループにストラップや鍵などを安定した状態で係合することができる。
【発明の効果】
【００４０】
本願の第１〜９発明は上記の如く構成したものであるから、作業従事者がたすきがけにしたストラップを作業用衣服本体の側部に設けた第１及び／または第２ループに係合させることができるものである。従って、作業従事者が作業時にかがんだ場合などにも、この作業従事者が装着したストラップのネームプレート等が下方に垂れ落ちにくいものと成る。従って、医療、看護、又は介護等の作業を安全且つ円滑に行うことができる。
【実施例１】
【００４１】
本願の実施例１について説明すると、図１に示す如く(1)は作業用衣服であって、医療、介護、看護従事者(以下、「作業従事者」とする。)が着用するものである。そして図２に示す如く、この作業用衣服本体(1)の側部(20)の脇線(3)に沿って、第１ループ(4)と第２ループ(5)とを設けている。そして第１ループ(4)はその両端(22)を作業用衣服本体(1)に縫着固定している。
【００４２】
また第２ループ(5)は、第１ループ(4)と同様に帯材(14)にて形成し、その上端(7)を、作業用衣服本体(1)の第１ループ(4)の上端(8)よりも上方位置に縫着固定している。そしてこの第２ループ(5)の下端(10)には一方係合具(11)を備えるとともに、この一方係合具(11)に係合可能な他方係合具(12)を、第１ループ(4)の外面(13)であって第２ループ(5)の対応位置に設けている。尚、本実施例では一方係合具(11)及び他方係合具(12)としてスナップを使用している。
【００４３】
このように第１ループ(4)に他方係合具(12)及び第２ループ(5)に一方係合具(11)を備えることにより、この一方係合具(11)と他方係合具(12)とを着脱自在に接続することによって、第２ループ(5)の上端(7)と下端(10)とを作業用衣服本体(1)に固定することができる。そのため、図1に示す如く作業用衣服を着用した作業従事者(2)がストラップ(15)をたすきがけにした際に、図２に示す如くこのストラップ(15)を、一方係合具(11)と他方係合具(12)との接続を解除した状態で第２ループ(5)に挿通した後、一方係合具(11)と他方係合具(12)とを接続することによって、図３に示す如く第２ループ(5)にストラップ(15)を係合配置することができる。
【００４４】
これにより、図４に示す如く作業時に作業従事者(2)がかがんだ際にも、ストラップ(15)に接続したネームプレート(16)が下方に垂れ下がるのを防止することが可能となり、作業を安全且つ円滑に行うことができる。
【００４５】
また、作業用衣服本体(1)に両端(22)を固定した第１ループ(4)の他方係合具(12)に第２ループ(5)の一方係合具(11)を接続しているものであるから、この一方係合具(11)と他方係合具(12)との着脱を、図３に示す如く第１ループ(4)に指を通して一方係合具(11)及び他方係合具(12)を支持固定した状態で行うことができる。そのため、係合具の着脱を円滑に行うことができる。またこの第１ループ(4)には、図５に示す如く従来通り、カラビナ(17)等の接続具を介して鍵(18)を接続することができる。
【００４６】
また上記の如く第１ループ(4)及び第２ループ(5)は、図1に示す如く作業従事者(2)の腰部(21)に対応する位置に備えたものである。そのため、第１ループ(4)及び第２ループ(5)に係合したものが作業従事者(2)の前面に垂れ下がることなく、作業の邪魔になりにくい。また、腰部(21)は手足等の他の部位よりも動きが少ないため、第１ループ(4)及び第２ループ(5)にストラップ(15)や鍵(18)などを安定した状態で係合することができる。
【実施例２】
【００４７】
また、上記実施例１では一方係合具(11)及び他方係合具(12)としてスナップを使用しているが、本実施例２では一方係合具(25)及び他方係合具(26)として図６に示す如く面ファスナーを使用している。尚本実施例は、この一方係合具(25)及び他方係合具(26)以外の全ての構成を、上記実施例１と同様としている。
【実施例３】
【００４８】
また、上記実施例１、２では、第２ループ(5)の上端(7)を作業用衣服本体(1)に縫着固定するとともに、下端(10)を第１ループ(4)に一方係合具(11)及び他方係合具(12)を介して着脱自在に接続可能としているが、本実施例３では第２ループ(31)の下端(40)を作業用衣服本体(32)に縫着固定するとともに、上端(39)を第１ループ(33)に一方係合具(34)及び他方係合具(35)を介して接続可能としている。
【００４９】
本実施例３について説明すると、作業用衣服本体(32)の側部(44)の脇線(36)に沿って、第１ループ(33)と第２ループ(31)とが設けられている。そして図７に示す如く、第１ループ(33)はその両端(46)を作業用衣服本体(32)に縫着固定している。
【００５０】
また第２ループ(31)は、第１ループ(33)と同様に帯材(38)にて形成し、その下端(40)を、作業用衣服本体(32)の第１ループ(33)の下端(41)よりも下方位置に縫着固定している。そしてこの第２ループ(31)の上端(39)には一方係合具(34)を備えるとともに、この一方係合具(34)に係合可能な他方係合具(35)を、第１ループ(33)の外面(42)であって第２ループ(31)の対応位置に設けている。
【００５１】
このように第１ループ(33)に他方係合具(35)及び第２ループ(31)に一方係合具(34)を備えることにより、この一方係合具(34)と他方係合具(35)とを着脱自在に接続することによって、第２ループ(31)の上端(39)及び下端(40)を作業用衣服本体(32)に固定することができる。そのため、作業用衣服を着用した作業従事者(43)がストラップ(図示せず。)をたすきがけにした際に、このストラップを、図７に示す如く一方係合具(34)と他方係合具(35)との接続を解除した状態で第２ループ(31)に挿通した後、一方係合具(34)と他方係合具(35)とを接続することによって、第２ループ(31)にストラップを係合配置することができる。
【００５２】
これにより、作業時に作業従事者(43)がかがんだ際にも、ストラップに接続したネームプレートやＰＨＳ等が下方に垂れ下がるのを防止することが可能となり、作業を安全且つ円滑に行うことができる。
【００５３】
また、作業用衣服本体(32)に両端(46)を固定した第１ループ(33)に係合具を介して第２ループ(31)の一端を係合しているものであるから、この係合具の着脱を、第１ループ(33)に指を通して係合具を支持固定した状態で行うことができる。そのため、係合具の着脱を円滑に行うことができる。またこの第１ループ(33)には従来通り、カラビナ等の接続具を介して鍵を接続することができる。
【００５４】
また上記の如く第１ループ(33)及び第２ループ(31)は、作業従事者(43)の腰部(45)に対応する位置に備えたものである。そのため、第１ループ(33)及び第２ループ(31)に係合したものが作業従事者(43)の前面に垂れ下がることなく、作業の邪魔になりにくい。また、腰部(45)は手足等の他の部位よりも動きが少ないため、第１ループ(33)及び第２ループ(31)にストラップや鍵などを安定した状態で係合することができる。
【実施例４】
【００５５】
また、上記実施例１〜３では、第１ループ(33)及び第２ループ(31)を作業用衣服本体(32)の側部(59)の脇線(36)に沿って配置しているが、本実施例４では第１ループ(47)を作業用衣服本体(48)の側部(59)の脇線(51)に沿って配置するとともに、第２ループ(50)を第１ループ(47)とは直交方向に配置している。本実施例４について説明すると、図８に示す如く、作業用衣服本体(48)の脇線(51)に沿って第１ループ(47)を配置するとともに、その両端(52)を作業用衣服に縫着固定している。
【００５６】
また第２ループ(50)は、第１ループ(47)の直交方向に配置されており、その一端(53)を作業用衣服に縫着固定している。また、この第２ループ(50)の他端(54)に一方係合具(55)を備えるとともに、この一方係合具(55)に係合可能な他方係合具(図示せず。)を、第１ループ(47)の外面(56)であって第２ループ(50)の対応位置に設けている。尚、本実施例では一方係合具(55)及び他方係合具としてスナップを使用している
【００５７】
このように第１ループ(47)に他方係合具及び第２ループ(50)に一方係合具(55)を備えることにより、この一方係合具(55)と他方係合具とを着脱自在に接続することによって、第２ループ(50)を環状に形成することができる。そのため、作業用衣服を着用した作業従事者(57)がストラップ(58)をたすきがけにした際に、このストラップ(58)を一方係合具(55)と他方係合具との接続を解除した状態で第２ループ(50)に挿通した後、一方係合具(55)と他方係合具とを図８に示す如く接続することによって、第２ループ(50)にストラップ(58)を係合配置することができる。
【００５８】
これにより、作業時に作業従事者(57)がかがんだ際にも、ストラップ(58)に接続したネームプレートやＰＨＳ等が下方に垂れ下がるのを防止することが可能となり、作業を安全且つ円滑に行うことができる。
【００５９】
また、作業用衣服本体(48)に両端(52)を固定した第１ループ(47)の他方係合具に第２ループ(50)の一方係合具(55)を接続しているものであるから、この一方係合具(55)と他方係合具との着脱を、第１ループ(47)に指を通して係合具を支持固定した状態で行うことができる。そのため、係合具の着脱を円滑に行うことができる。またこの第１ループ(47)には従来通り、カラビナ等の接続具を介して鍵を接続することができる。
【００６０】
また上記の如く第１ループ(47)及び第２ループ(50)は、作業従事者(57)の腰部(60)に対応する位置に備えたものである。そのため、第１ループ(47)及び第２ループ(50)に係合したものが作業従事者(57)の前面に垂れ下がることなく、作業の邪魔になりにくい。また、腰部(60)は手足等の他の部位よりも動きが少ないため、第１ループ(47)及び第２ループ(50)にストラップ(58)や鍵などを安定した状態で係合することができる。
【実施例５】
【００６１】
上記実施例１〜４では、第１ループ(47)と第２ループ(50)とを、それぞれ別個の帯材にて形成しているが、本願の第２発明である実施例５では、第１ループ(61)と第２ループ(62)とを、一の帯材(63)を折曲することにより形成している。本実施例５について説明すると、作業用衣服本体(64)の側部(73)の脇線(65)に沿って、第１ループ(61)と第２ループ(62)とが設けられている。
【００６２】
即ち、図９に示す如く、帯材(63)の一端(66)を下方に配置して作業用衣服本体(64)の脇線(65)に沿って配置するとともにこの作業用衣服本体(64)に縫着固定している。そして、この帯材(63)の他端側を上方に配置するとともに途中で反対側に折り返す。そして、この折り返した折曲部(67)を作業用衣服本体(64)に縫着固定している。
【００６３】
これにより、この帯材(63)の一端(66)と折曲部(67)からなる両端(75)が作業用衣服本体(64)に固定され、第１ループ(61)が形成されるものとなる。また、上記帯材(63)を折り返すことにより得られた折り返し片(68)を第２ループ(62)としている。そしてこの第２ループ(62)の先端(69)側に一方係合具(70)を配置するとともに、この一方係合具(70)の対応位置の第１ループ(61)の外面(71)に、この一方係合具(70)に接続可能な他方係合具(図示せず。)を配置している。
【００６４】
上記の如く第１ループ(61)に他方係合具及び第２ループ(62)に一方係合具(70)を備えることにより、この一方係合具(70)と他方係合具とを着脱自在に接続することによって、第２ループ(62)を環状に形成することができる。そのため、作業用衣服を着用した作業従事者(72)がストラップ(図示せず。)をたすきがけにした際に、このストラップを、一方係合具(70)と他方係合具との接続を解除した状態で第２ループ(62)に挿通した後、一方係合具(70)と他方係合具とを接続することによって、第２ループ(62)にストラップを係合配置することができる。
【００６５】
これにより、作業時に作業従事者(72)がかがんだ際にも、ストラップに接続したネームプレートやＰＨＳ等が下方に垂れ下がるのを防止することが可能となり、作業を安全且つ円滑に行うことができる。
【００６６】
また、作業用衣服本体(64)に両端(75)を固定した第１ループ(61)の他方係合具に第２ループ(62)の一方係合具(70)を接続しているものであるから、この一方係合具(70)と他方係合具との着脱を、第１ループ(61)に指を通して係合具を支持固定した状態で行うことができる。そのため、係合具の着脱を円滑に行うことができる。またこの第１ループ(61)には従来通り、カラビナ等の接続具を介して鍵を接続することができる。
【００６７】
また、上記の如く帯材(63)を折り返して作業用衣服本体(64)に縫い付けるのみで、第１ループ(61)と第２ループ(62)の２つのループを形成することができるため、製造を容易なものとすることができる。尚、本実施例では一方係合具(70)及び他方係合具としてスナップを使用している
【００６８】
また上記の如く第１ループ(61)及び第２ループ(62)は、作業従事者(72)の腰部(74)に対応する位置に備えたものである。そのため、第１ループ(61)及び第２ループ(62)に係合したものが作業従事者(72)の前面に垂れ下がることなく、作業の邪魔になりにくい。また、腰部(74)は手足等の他の部位よりも動きが少ないため、第１ループ(61)及び第２ループ(62)にストラップや鍵などを安定した状態で係合することができる。
【実施例６】
【００６９】
上記実施例１〜５では、第２ループ(62)の一端を作業用衣服本体(1)(32)(48)(64)に縫着固定するとともに、他端を第１ループ(61)に係合具を介して接続しているが、本願の第３発明である実施例６では、第１ループ(76)をまたいで第２ループ(77)を配置し、その両端(81)を作業用衣服本体(78)に固定可能としている。
【００７０】
本願の実施例６について説明すると、作業用衣服本体(78)の側部(90)の脇線(80)に沿って、第１ループ(76)と第２ループ(77)とが設けられている。そして図１０に示す如く、第１ループ(76)の両端(81)を作業用衣服本体(78)に縫着固定している。
【００７１】
また第２ループ(77)は、第１ループ(76)と同様に帯材(89)にて形成し、その上端を、作業用衣服本体(78)の第１ループ(76)の上端(82)よりも上方位置に縫着固定している。そしてこの第２ループ(77)は、第１ループ(76)をまたいでその下端(84)に一方係合具(85)を備えるとともに、作業用衣服本体(78)の一方係合具(85)の対応位置に、この一方係合具(85)に係合可能な他方係合具(86)を設けている。尚、本実施例では一方係合具(85)及び他方係合具(86)としてスナップを使用している
【００７２】
このように第１ループ(76)に他方係合具(86)及び第２ループ(77)に一方係合具(85)を備えることにより、この一方係合具(85)と他方係合具(86)とを着脱自在に接続することによって、第２ループ(77)の上端(83)及び下端(84)を作業用衣服本体(78)に固定することができる。そのため、作業用衣服を着用した作業従事者(87)がストラップ(図示せず。)をたすきがけにした際に、このストラップを、図１０に示す如く一方係合具(85)と他方係合具(86)との接続を解除した状態で第２ループ(77)に挿通した後、一方係合具(85)と他方係合具(86)とを接続することによって、第２ループ(77)にストラップを係合配置することができる。
【００７３】
これにより、作業時に作業従事者(87)がかがんだ際にも、ストラップに接続したネームプレートやＰＨＳ等が下方に垂れ下がるのを防止することが可能となり、作業を安全且つ円滑に行うことができる。
【００７４】
また、上記他方係合具(86)の側方には、着用者の指を挿入可能とする切込み部(88)を設けている。このように切込み部(88)を設けることにより、この切込み部(88)に指を差し入れて作業用衣服本体(78)に設けた他方係合具(86)を支持し、この状態で一方係合具(85)と他方係合具(86)との着脱を容易且つ円滑に行うことができる。
【００７５】
また上記の如く第１ループ(76)及び第２ループ(77)は、作業従事者(87)の腰部(91)に対応する位置に備えたものである。そのため、第１ループ(76)及び第２ループ(77)に係合したものが作業従事者(87)の前面に垂れ下がることなく、作業の邪魔になりにくい。また、腰部(91)は手足等の他の部位よりも動きが少ないため、第１ループ(76)及び第２ループ(77)にストラップや鍵などを安定した状態で係合することができる。
【実施例７】
【００７６】
上記実施例６では、第１ループ(76)を第２ループ(77)をまたいで配置するとともに、その一端を作業用衣服本体(78)に一方係合具(85)と他方係合具(86)とを介して着脱自在に接続可能としているが、本実施例７では、第２ループ(93)を第１ループ(94)をまたいで配置するとともに、その一端を作業用衣服本体(95)に設けた生地片(96)に係合具を介して着脱自在に接続可能としている。
【００７７】
本願の実施例７について説明すると、作業用衣服本体(95)の側部(106)の脇線(92)に沿って、第１ループ(94)と第２ループ(93)とが設けられている。そして図１１に示す如く、第１ループ(94)の両端を作業用衣服本体(95)に縫着固定している。
【００７８】
また第２ループ(93)は、第１ループ(94) と同様に帯材(98)にて形成し、その上端(101)を、作業用衣服本体(95)の第１ループ(94)の上端(100)よりも上方位置に縫着固定している。そしてこの第２ループ(93)は、第１ループ(94)をまたいでその下端(102)に一方係合具(103)を備えている。また作業用衣服本体(95)には、この一方係合具(103)の対応位置に生地片(96)を脇線(92)に挟みこんで縫着固定するとともに、この生地片(96)に、上記一方係合具(103)に係合可能な他方係合具(104)を備えている。尚、本実施例では一方係合具(103)及び他方係合具(104)としてスナップを使用している
【００７９】
このように第２ループ(93)に一方係合具(103)及び生地片(96)に一方係合具(103)を備えることにより、この一方係合具(103)と他方係合具(104)とを着脱自在に接続することによって、第２ループ(93)の両端を作業用衣服本体(95)に固定することができる。そのため、作業用衣服を着用した作業従事者(105)がストラップ(図示せず。)をたすきがけにした際に、このストラップを、図１１に示す如く一方係合具(103)と他方係合具(104)との接続を解除した状態で第２ループ(93)に挿通した後、再度一方係合具(103)と他方係合具(104)とを接続することによって、第２ループ(93)にストラップを係合配置することができる。
【００８０】
これにより、作業時に作業従事者(105)がかがんだ際にも、ストラップに接続したネームプレートやＰＨＳ等が下方に垂れ下がるのを防止することが可能となり、作業を安全且つ円滑に行うことができる。
【００８１】
また上記の如く、作業用衣服本体(95)に縫着固定した生地片(96)に他方係合具(104)を備えているため、この生地片(96)を指で固定して他方係合具(104)を支持することにより、一方係合具(103)と他方係合具(104)との着脱を容易且つ円滑に行うことができる。
【００８２】
また上記の如く第１ループ(94)及び第２ループ(93)は、作業従事者(105)の腰部(99)に対応する位置に備えたものである。そのため、第１ループ(94)及び第２ループ(93)に係合したものが作業従事者(105)の前面に垂れ下がることなく、作業の邪魔になりにくい。また、腰部(99)は手足等の他の部位よりも動きが少ないため、第１ループ(94)及び第２ループ(93)にストラップや鍵などを安定した状態で係合することができる。
【実施例８】
【００８３】
上記実施例７では第２ループ(93)を、第１ループ(94)をまたいで配置するとともに、その一端を作業用衣服本体(95)に設けた生地片(96)に係合具を介して着脱自在に接続可能としているが、本実施例８では、第２ループ(107)を第１ループ(108)をまたいで配置するとともに、その一端を作業用衣服本体(110)に設けたポケット(111)に係合具を介して着脱自在に接続可能としている。
【００８４】
本願の実施例８について説明すると、本実施例８は作業用衣服本体(110)の側部(122)の脇線(124)に沿って、第１ループ(108)と第２ループ(107)とが設けられている。そして図１２に示す如く、第１ループ(108)の両端(109)を作業用衣服本体(110)に縫着固定している。
【００８５】
また第２ループ(107)は、第１ループ(108)と同様に帯材(113)にて形成し、その上端(114)を、作業用衣服本体(110)の第１ループ(108)の上端(115)よりも上方位置に縫着固定している。また、この第２ループ(107)は、第１ループ(108)をまたいでその下端(116)に一方係合具(117)を備えている。一方、作業用衣服本体(110)には、第１ループ(108)の下方位置にポケット(111)が備えられており、このポケット(111)の開口縁(120)であって、上記一方係合具(117)の対応位置に、この一方係合具(117)に係合可能な他方係合具(118)を備えている。尚、本実施例では一方係合具(117)及び他方係合具(118)としてスナップを使用している
【００８６】
このように第１ループ(108)に他方係合具(118)及び第２ループ(107)に一方係合具(117)を備えることにより、この一方係合具(117)と他方係合具(118)とを着脱自在に接続することによって、第２ループ(107)の上端(114)及び下端(116)を作業用衣服本体(110)に固定することができる。そのため、作業用衣服を着用した作業従事者(121)がストラップ(図示せず。)をたすきがけにした際に、このストラップを、一方係合具(117)と他方係合具(118)との接続を解除した状態で第２ループ(107)に挿通した後、再度一方係合具(117)と他方係合具(118)とを接続することによって、第２ループ(107)にストラップを係合配置することができる。
【００８７】
これにより、作業時に作業従事者(121)がかがんだ際にも、ストラップに接続したネームプレートやＰＨＳ等が下方に垂れ下がるのを防止することが可能となり、作業を安全且つ円滑に行うことができる。
【００８８】
また上記の如く、作業用衣服本体(110)に設けたポケット(111)の開口縁(120)に、係合具を介して第２ループ(107)の他端を係合したものであるから、この係合具の着脱を、指でポケット(111)側を固定してこのポケット(111)に設けた他方係合具(118)を支持することによって行うことができる。そのため、一方係合具(117)と他方係合具(118)との着脱を安定した状態で円滑に行うことができる。また上記第１ループ(108)には従来通り、フックやキーホルダー等を介して鍵等を接続することができる。
【００８９】
また上記の如く第１ループ(108)及び第２ループ(107)は、作業従事者(121)の腰部(123)に対応する位置に備えたものである。そのため、第１ループ(108)及び第２ループ(107)に係合したものが作業従事者(121)の前面に垂れ下がることなく、作業の邪魔になりにくい。また、腰部(123)は手足等の他の部位よりも動きが少ないため、第１ループ(108)及び第２ループ(107)にストラップや鍵などを安定した状態で係合することができる。
【実施例９】
【００９０】
上記実施例８では第２ループ(107)を、第１ループ(108)をまたいで配置するとともに、その一端を作業用衣服本体(110)に設けたポケット(111)に係合具を介して着脱自在に接続可能としているが、本実施例９は第２ループ(126)を、第１ループ(127)をまたいで配置し、その両端(135)を作業用衣服本体(130)に固定するとともに中央部を分離している。
【００９１】
本願の実施例９について説明すると、本実施例９は作業用衣服本体(130)の側部(141)の脇線(131)に沿って、第１ループ(127)と第２ループ(126)とが設けられている。そして図１３に示す如く、第１ループ(127)はその両端(134)を作業用衣服本体(130)に縫着している。
【００９２】
また第２ループ(126)は、第１ループ(127)と同様に帯材(133)にて形成し、その両端(135)を、作業用衣服本体(130)の第１ループ(127)の両端(134)よりも更に外方位置に縫着固定している。またこの第２ループ(126)は、中央部を分離した一対の対向する分離片(136)から成り、この一対の分離片(136)は、その先端部分が互いに重なり合う長さに形成している。そしてこの重なり合う重畳部分に、それぞれ一方係合具(137)と、この一方係合具(137)に係合可能な他方係合具(138)を対向して設けている。そのためこの一対の分離片(136)は、一方係合具(137)と他方係合具(138)とを介して互いに着脱自在に接続可能としている。
【００９３】
このように第２ループ(126)を一方係合具(137)と他方係合具(138)とを設けた一対の分離片(136)にて形成することにより、この一方係合具(137)と他方係合具(138)とを着脱自在に接続することによって、第２ループ(126)を環状に形成することができる。そのため、作業用衣服を着用した作業従事者(140)がストラップ(図示せず。)をたすきがけにした際に、このストラップを、図１３に示す如く一方係合具(137)と他方係合具(138)との接続を解除した状態で一方の分離片(136)に挿通した後、再度一方係合具(137)と他方係合具(138)とを接続することによって、第２ループ(126)にストラップを係合配置することができる。
【００９４】
これにより、作業時に作業従事者(140)がかがんだ際にも、ストラップに接続したネームプレートやＰＨＳ等が下方に垂れ下がるのを防止することが可能となり、作業を安全且つ円滑に行うことができる。また上記第１ループ(127)には従来通り、フックやキーホルダー等を介して鍵等を接続することができる。
【００９５】
また上記の如く第１ループ(127)及び第２ループ(126)は、作業従事者(140)の腰部(142)に対応する位置に備えたものである。そのため、第１ループ(127)及び第２ループ(126)に係合したものが作業従事者(140)の前面に垂れ下がることなく、作業の邪魔になりにくい。また、腰部(142)は手足等の他の部位よりも動きが少ないため、第１ループ(127)及び第２ループ(126)にストラップや鍵などを安定した状態で係合することができる。
【実施例１０】
【００９６】
上記実施例６〜９は第２ループ(126)を、両端を作業用衣服本体(130)に固定した第１ループ(127)をまたいで配置しているが、本実施例１０では、作業用衣服本体(144)に一端を縫着固定するとともに他端を作業用衣服本体(144)に係合具を介して着脱自在に接続可能とした第１ループ(146)と、作業用衣服本体(144)に一端を固定するとともに他端を上記第１ループ(146)に係合具を介して着脱自在に接続可能とした第２ループ(148)とを備えている。
【００９７】
本願の実施例１０について説明すると、本実施例１０は作業用衣服本体(144)の側部(162)の脇線(150)に沿って、第１ループ(146)と第２ループ(148)とが設けられている。そして図１４に示す如く、第１ループ(146)は帯材(151)にて形成し、下端(152)を作業用衣服本体(144)に縫着固定するとともに、上端(153)に第１一方係合具(154)を備えている。そして作業用衣服本体(144)には、上記第１一方係合具(154)に係合可能な第１他方係合具(図示せず。)を、この第１一方係合具(154)の対応位置に固定配置している。これにより、第１ループ(146)の上端(153)を作業用衣服本体(144)に着脱自在に接続可能なものとしている。
【００９８】
また第２ループ(148)も帯材(155)にて形成し、その上端(156)を、第１ループ(146)の上端(153)よりも更に上方位置に縫着固定している。またこの第２ループ(148)の下端(157)は、上記第１ループ(146)の中央部に位置するとともに、第２一方係合具(158)を設けている。そして第１ループ(146)には、上記第２ループ(148)の第２一方係合具(158)に係合可能な第２他方係合具(160)を、第２一方係合具(158)の対向位置に設けている。これにより、第２ループ(148)の下端(157)を第１ループ(146)に、第２一方係合具(158)と第２他方係合具(160)とを介して着脱自在に接続可能としている。
【００９９】
このように第２ループ(148)を第１ループ(146)に着脱自在に接続可能とすることにより、第２ループ(148)を環状に形成することができる。そのため、作業用衣服を着用した作業従事者(161)がストラップ(145)をたすきがけにした際に、このストラップ(145)を、図１４に示す如く第２一方係合具(158)と第２他方係合具(160)との接続を解除した状態で第２ループ(148)に挿通した後、再度第２一方係合具(158)と第２他方係合具(160)とを接続することによって、第２ループ(148)にストラップ(145)を係合配置することができる。
【０１００】
これにより、作業時に作業従事者(161)がかがんだ際にも、ストラップ(145)に接続したネームプレートやＰＨＳ等が下方に垂れ下がるのを防止することが可能となり、作業を安全且つ円滑に行うことができる。また、第１ループ(146)に第２一方係合具(158)及び第２他方係合具(160)を介して第２ループ(148)の他端を係合しているものであるから、この第２一方係合具(158)と第２他方係合具(160)の着脱を、第１ループ(146)に指を差し入れて第２他方係合具(160)を支持固定することによって行うことができる。そのため、第２一方係合具(158)と第２他方係合具(160)との着脱を安定した状態で円滑に行うことができる。
【０１０１】
また上記の如く、第１ループ(146)もその上端(153)を作業用衣服本体(144)に第１一方係合具(154)及び第１他方係合具を介して着脱自在に接続可能としているため、フック等の接続手段を介することなく鍵等を容易に第１ループ(146)に直接係合することができる。
【０１０２】
また上記の如く第１ループ(146)及び第２ループ(148)は、作業従事者(161)の腰部(163)に対応する位置に備えたものである。そのため、第１ループ(146)及び第２ループ(148)に係合したものが作業従事者(161)の前面に垂れ下がることなく、作業の邪魔になりにくい。また、腰部(163)は手足等の他の部位よりも動きが少ないため、第１ループ(146)及び第２ループ(148)にストラップ(145)や鍵などを安定した状態で係合することができる。
【実施例１１】
【０１０３】
上記実施例１０は、作業用衣服本体(144)に一端を固定するとともに他端を作業用衣服本体(144)に係合具を介して着脱自在に接続可能とした第１ループ(146)と、作業用衣服本体(144)に一端を固定するとともに他端を上記第１ループ(146)に係合具を介して着脱自在に接続可能とした第２ループ(148)とを備えているが、本実施例１１は、自由端(164)に環状部(165)を形成可能とする第１ループ(166)と、作業用衣服本体(167)に固定した環状の第２ループ(168)とを備えたものである。
【０１０４】
本願の実施例１１について説明すると、本実施例１１は作業用衣服本体(167)の側部(173)の脇線(170)に沿って、第１ループ(166)と第２ループ(168)とが設けられている。そして図１５に示す如く、第１ループ(166)は、帯材(171)の上端(172)を作業用衣服本体(167)の脇線(170)に沿って配置するとともに縫着固定している。そして他端を自由端(164)とし、この自由端(164)に、互いに着脱自在に係合可能な一方係合部材(174)と他方係合部材(175)とを、間隔を介して設けている。そしてこの一方係合部材(174)と他方係合部材(175)とを互いに係合させることにより、図１５に示す如くこの第１ループ(166)の自由端(164)側に環状部(165)を形成することができる。
【０１０５】
また第２ループ(168)は紐体にて環状に形成するとともに、上記第１ループ(166)の下方位置に、脇線(170)に縫着固定している。
【０１０６】
このように第１ループ(166)の自由端(164)に環状部(165)を形成可能とするとともに、環状の第１ループ(166)を設けることにより、作業用衣服を着用した作業従事者(176)がストラップ(177)をたすきがけにした際に、このストラップ(177)を、第１ループ(166)の一方係合部材(174)と他方係合部材(175)との接続を解除した状態でこの第１ループ(166)に挿通した後、この一方係合部材(174)と他方係合部材(175)との間隔に第２ループ(168)を挿通して一方係合部材(174)と他方係合部材(175)とを接続することによって、一方係合部材(174)と他方係合部材(175)とにより形成された大きなループにストラップ(図示せず。)を係合配置することができるものとなる。
【０１０７】
これにより、作業時に作業従事者(176)がかがんだ際にも、ストラップに接続したネームプレートやＰＨＳ等が下方に垂れ下がるのを防止することが可能となり、作業を安全且つ円滑に行うことができる。
【０１０８】
また上記の如く第１ループ(166)及び第２ループ(168)は、作業従事者(176)の腰部(178)に対応する位置に備えたものである。そのため、第１ループ(166)及び第２ループ(168)に係合したものが作業従事者(176)の前面に垂れ下がることなく、作業の邪魔になりにくい。また、腰部(178)は手足等の他の部位よりも動きが少ないため、第１ループ(166)及び第２ループ(168)にストラップや鍵などを安定した状態で係合することができる。
【実施例１２】
【０１０９】
上記実施例１１は、自由端(164)に環状部(165)を形成可能とする第１ループ(166)と、作業用衣服本体(167)に固定した環状の第２ループ(168)とを備えているが、本実施例１２では、自由端(181)に環状部(182)を形成可能とする第１ループ(183)と、両端を作業用衣服本体(184)に固定した環状の第２ループ(185)とを備えたものである。
【０１１０】
本願の実施例１２について説明すると、本実施例１２は作業用衣服本体(184)の側部(191)の脇線(186)に沿って帯材(198)にて形成した第１ループ(183)を設けるとともに、この第１ループ(183)の直交方向に帯材(199)にて形成した第２ループ(185)を備えている。また第１ループ(183)の両端(187)を作業用衣服本体(184)に固定するとともに、第２ループ(185)はその一端(188)を、作業用衣服本体(184)に固定している。
【０１１１】
またこの第２ループ(185)の他端(190)を自由端(181)とし、この自由端(181)には、互いに着脱自在に係合可能とする一方係合部材(192)と他方係合部材(193)とを、間隔を介して設けている。そしてこの一方係合部材(192)と他方係合部材(193)とを互いに係合させることにより、図１６に示す如くこの第１ループ(183)の自由端(181)側に環状部(182)を形成することができる。
【０１１２】
このように第２ループ(185)の自由端(181)に環状部(182)を形成可能とすることにより、作業用衣服を着用した作業従事者(195)がストラップ(196)をたすきがけにした際に、このストラップ(196)を、第２ループ(185)の一方係合部材(192)と他方係合部材(193)との接続を解除した状態でこの第２ループ(185)に挿通した後、この第２ループ(185)の一方係合部材(192)と他方係合部材(193)との間隔に第１ループ(183)を配置した状態で、一方係合部材(192)と他方係合部材(193)とを接続することによって、第２ループ(185)にストラップ(196)を係合配置することができるものとなる。
【０１１３】
これにより、作業時に作業従事者(195)がかがんだ際にも、ストラップ(196)に接続したネームプレートやＰＨＳ等が下方に垂れ下がるのを防止することが可能となり、作業を安全且つ円滑に行うことができる。
【０１１４】
また上記の如く第１ループ(183)及び第２ループ(185)は、作業従事者(195)の腰部(197)に対応する位置に備えたものである。そのため、第１ループ(183)及び第２ループ(185)に係合したものが作業従事者(195)の前面に垂れ下がることなく、作業の邪魔になりにくい。また、腰部(197)は手足等の他の部位よりも動きが少ないため、第１ループ(183)及び第２ループ(185)にストラップ(196)や鍵などを安定した状態で係合することができる。
【図面の簡単な説明】
【０１１５】
【図１】本願の第１発明の実施例１を示す斜視図。
【図２】実施例１の第１ループと第２ループとを示す部分拡大斜視図。
【図３】実施例１の使用状態を示す斜視図。
【図４】実施例１の第１ループと第２ループとの接続過程を示す拡大斜視図。
【図５】実施例１の使用状態を示す部分拡大斜視図。
【図６】実施例２を示す部分拡大斜視図。
【図７】実施例３を示す部分拡大斜視図。
【図８】実施例４を示す部分拡大斜視図。
【図９】本願の第２発明を示す実施例５の部分拡大斜視図。
【図１０】本願の第３発明を示す実施例６の部分拡大斜視図。
【図１１】本願の第４発明を示す実施例７の部分拡大斜視図。
【図１２】本願の第５発明を示す実施例８の部分拡大斜視図。
【図１３】本願の第６発明を示す実施例９の部分拡大斜視図。
【図１４】本願の第７発明を示す実施例１０の部分拡大斜視図。
【図１５】本願の第８発明を示す実施例１１の部分拡大斜視図。
【図１６】本願の第９発明を示す実施例１２の部分拡大斜視図。
【図１７】従来例の部分拡大斜視図。
【符号の説明】
【０１１６】
1,32,48,64,78,95,110,130,144,167,184     作業用衣服本体
3,36,51,65,80,131,150,170,186            脇線
4,33,47,61,76,94,108,127,146,166,183     第１ループ
5,31,50,62,77,93,107,126,148,168,185     第２ループ
11,25,34,55,70,85,103,117,137,154,158    一方係合具
12,26,35,86,104,118,138,160              他方係合具
20,44,59,73,90,106,122,141,162,173,191   側部
21,45,60,74,91,99,123,142,163,178,197    腰部
63         帯材
66         一端
67         折曲部
68         折り返し片
69         先端
88         切込み部
96         生地片
111        ポケット
120        開口縁
134        両端
136        分離片
164,181    自由端
165,182    環状部
174,192    一方係合部材
175,193    他方係合部材
【図１】
2018024951.tif 000003
【図２】
2018024951.tif 000004
【図３】
2018024951.tif 000005
【図４】
2018024951.tif 000006
【図５】
2018024951.tif 000007
【図６】
2018024951.tif 000008
【図７】
2018024951.tif 000009
【図８】
2018024951.tif 000010
【図９】
2018024951.tif 000011
【図１０】
2018024951.tif 000012
【図１１】
2018024951.tif 000013
【図１２】
2018024951.tif 000014
【図１３】
2018024951.tif 000015
【図１４】
2018024951.tif 000016
【図１５】
2018024951.tif 000017
【図１６】
2018024951.tif 000018
【図１７】
2018024951.tif 000019